(57)【特許請求の範囲】
【請求項１】
長尺の棒状ゴム部材の外側長手方向に沿って一条の横溝が形成されると共に、採光部側長手方向に沿って中間片を介する上下二条の横溝が形成されて成る周縁用ガスケットの前記上下二条の横溝の夫々にガラス板等の採光板を挿着することにより空気層を介する二層の採光板を構成して、該周縁用ガスケットの上面中央の長手方向に沿って形成された楔形溝に楔状ジッパーを嵌合する一方、該周縁用ガスケットの前記外側長手方向の横溝に支持枠の上縁に形成された支持縁を挿着し、該支持枠の両脚の内側方向への折曲部をコ字型座金の両脚で押え、該コ字型座金の天部中央から下方へ向けて固着されたボルトが採光部の周囲を支持する支持部材の上側フランジに設けられた穿孔部に挿通されて該上側フランジの下方からナットで固定された二層採光板支持装置において、前記楔形溝の下方に長手方向に沿って内溝が形成され、ガラス目地受材に固設された支持板の端部に形成された長溝を前記コ字型座金のボルトに挿通してナットで固定する構成とし、さらに前記二層の採光板を採光部の途中で支持するために設けられた連結用ガスケットの下部が支持部材で支持され、該連結用ガスケットの両側の長手方向に沿って中間片を介して形成された上下二条の各横溝に採光板を挿着するようにし、該連結用ガスケットの上面中央の長手方向に沿って形成された嵌合溝に楔状ジッパーを嵌合することによって、前記中間片による隙間を空気層とする二層の採光板を構成するようにしたことを特徴とする二層採光板支持装置。
【発明の詳細な説明】
【０００１】
【産業上の利用分野】
本発明は、大型屋根の一部に二層のガラス板等による採光部を形成するための二層採光板支持装置に関するものである。
【０００２】
【従来の技術】
従来、工場や倉庫等の大型屋根の一部に設けた採光用天窓に透明または半透明のガラス板等を取り付けるための採光板支持装置としては、例えば、特許文献１に記載された装置が周知である。
【０００３】
この装置は、図７または図８に示すように、大型屋根に一定間隔をおいて平行に架設した横材５２上の左右に所定間隔をあけて台形の受台５３（図７は右側の受台）が設けられ、受台５３の外側に沿う屋根板５５の上端に折曲された接合縁５６と受台５３の内側に沿う水切板５７の上端に折曲された水平部５８とが受台５３の上面で近接するように形成されている。そして、夫々の接合縁５６と水平部５８とをコ字型の下向きをなす第１枠押え金６４で押え、受台５３の上面中央に下端を固定したボルト５４ａを第１枠押え金６４の中央に設けられた孔に挿通してナット５４ｂで締結することにより、支持枠６１を固定するようにしている。
【０００４】
また、この採光部５０に設けられたガラス板等の採光板５９の片側をガスケット６３を介して長尺の支持枠６１で支持するようにしている。ガスケット６３は左右夫々に横溝６３ａ、６３ｂを形成してなり、採光部５０側の横溝６３ａに採光板５９を挿着し、外側の横溝６３ｂに支持枠６１の支持部６２を挿着する一方、支持枠６１の両脚６１ａ、６１ｂを夫々内側に折り曲げて上記の水切板５７の水平部５８と屋根板５５の接合縁５６とを接合することで固定している。
【０００５】
さらに、図８に示すように、コ字型を成す第２枠押え金６６を下方に伏せた状態でその内側上端の中央にボルト６７ａの上端を固定した場合、採光部５０側において水切板５７の水平部５８と支持枠６１の内側脚部６１ａの折曲部６１ｃとを合わせ、外側において屋根板５５の接合縁５６と支持枠６１の外側脚部６１ｂの折曲部６１ｄとを合わせて当接板６８の孔に第２枠押え金６６のボルト６７ａを挿通してナット６７ｂで締結するようにしている。
【０００６】
【特許文献１】
特公昭５７−１７１３９号公報（第１頁、第２図、第３図）
【０００７】
【発明が解決しようとする課題】
ところで、上記の図７の構造においては、一定間隔をおいて架設された横材５２ごとに受台５３が設けられ、複数の受台５３、５３…の上部又は両側部に長尺の支持枠６１と長尺の屋根板５５と長尺の水切板５７とが設けられているため、第１枠押え金６４を固定するには、その上方にあるボルト５４ａにナット５４ｂを締結するためのスパナを入れて回動する空間が十分になく、しかも作業者が高い足場に上がった危険な状態で常に上方を向いた姿勢で締結作業を行うという非常に危険で労力の要求される作業となっていた。
【０００８】
また、図８の構造においては、ボルト６７ａを締結するナット６７ｂが支持枠６１の下方に設けられているが、支持枠６１と接合縁５６と水平部５８とが長尺のため、第２枠押え金６６の取付け位置の確定が困難である上、屋根板５５が長尺であり、水切板５７が垂直方向に長いため、やはり作業者が高い足場に上がった危険な状態で常に上方を向いた姿勢で締結作業を行う必要があり、非常に危険で労力の要求される作業となっていた。
【０００９】
また、上記の特許文献１の採光板支持装置においては、ガスケット６３は採光部側に一条の横溝６３ａだけが形成された構造とされているため、二層ガラスをガスケット６３の横溝６３ａに嵌合することによって結露を防止する構造とすることも可能である。ところが、一般に市販されている二層ガラスは、非常に高価であり、全体重量が大であるため、高所での作業に労力と危険を要するという問題があった。
【００１０】
本発明は、上記の事情に鑑みて成されたもので、大型屋根の採光部に簡単な施工によって結露防止のための二層を成すガラス板を構成することが可能であり、しかも危険な高所での作業となる足場を必要とせずに採光部の施工がすべて屋根の上方から行えるようにした二層採光板支持装置を提供することを目的とする。
【００１１】
【課題を解決するための手段】
以上の目的を達成するために、本発明の二層採光板支持装置は、長尺の棒状ゴム部材の外側長手方向に沿って一条の横溝が形成されると共に、採光部側長手方向に沿って中間片を介する上下二条の横溝が形成されて成る周縁用ガスケットの前記上下二条の横溝の夫々にガラス板等の採光板を挿着することにより空気層を介する二層の採光板を構成して、該周縁用ガスケットの上面中央の長手方向に沿って形成された楔形溝に楔状ジッパーを嵌合する一方、該周縁用ガスケットの前記外側長手方向の横溝に支持枠の上縁に形成された支持縁を挿着し、該支持枠の両脚の内側方向への折曲部をコ字型座金の両脚で押え、該コ字型座金の天部中央から下方へ向けて固着されたボルトが採光部の周囲を支持する支持部材の上側フランジに設けられた穿孔部に挿通されて該上側フランジの下方からナットで固定された二層採光板支持装置において、前記楔形溝の下方に長手方向に沿って内溝が形成され、ガラス目地受材に固設された支持板の端部に形成された長溝を前記コ字型座金のボルトに挿通してナットで固定する構成とし、さらに前記二層の採光板を採光部の途中で支持するために設けられた連結用ガスケットの下部が支持部材で支持され、該連結用ガスケットの両側の長手方向に沿って中間片を介して形成された上下二条の各横溝に採光板を挿着するようにし、該連結用ガスケットの上面中央の長手方向に沿って形成された嵌合溝に楔状ジッパーを嵌合することによって、前記中間片による隙間を空気層とする二層の採光板を構成するようにしたことを特徴とする。
【００１４】
【発明の実施の形態】
以下、本発明の実施例について図面を参照しながら説明する。
【００１５】
この実施例の周縁用ガスケット１は、図１に示すように、採光部２の周縁にて支持枠３とガラス板４等の採光板とを連結するようにしたものである。この採光板としては、透明又は半透明のガラス板４の他に合成樹脂による透明板又は半透明板が適用可能である。
【００１６】
周縁用ガスケット１は、図２に示すように、長尺の棒状ゴム部材から成り、このゴム部材の外側長手方向に沿って横溝５が形成され、この横溝５に支持枠３の上縁に形成された支持縁３ａを挿着している。なお、この横溝５の上下側に形成された上方押え片６ａと下方押え片６ｂの先端縁には長手方向に沿って内側を向く突起７、７・・・が形成され、この横溝５に挿着した支持枠３の支持縁３ａとの密着性を確保するようにしてある。
【００１７】
また、図１および図２に示すように周縁用ガスケット１の採光部２側には、長手方向に沿って中間片８を介する上下二条の横溝９ａ、９ｂが形成され、夫々の横溝９ａ、９ｂにはガラス板４、４が挿着されている。なお、図２に示すように、これらの上下二条の横溝９ａ、９ｂの上下側には上方押え片１０ａと下方押え片１０ｂが形成され、これらの上方押え片１０ａと下方押え片１０ｂとには、夫々の横溝９ａ、９ｂ側に湾曲する突起１１が形成され、上下二条の横溝９ａ、９ｂの夫々にガラス板４、４を密着状に挿着することによって中間片８の幅を空気層Ｃとして有する二層のガラス板４、４を構成するようにしている。
【００１８】
さらに、周縁用ガスケット１の上部の中央に楔状ジッパー１２を挿着する楔形溝１３が形成され、この楔形溝１３の下方に長手方向に沿う内溝１３ａが形成されている。この楔状ジッパー１２は、楔形溝１３の径よりもやや大きく形成され、楔形溝１３に楔状ジッパー１２を挿着することにより、両側の上方押え片６ａ、１０ａに対して下方への押圧力を作用させ、採光部２側のガラス板４の密着力或いは外側の支持枠３の支持縁３ａの保持力を強化するようにしている。
【００１９】
一方、上記の支持枠３は両側に脚部３ｂ、３ｃを有し、その片側上端に採光部２側に突出した支持縁３ａが形成され、両側脚部３ｂ、３ｃの下端は夫々内側方向へ向く折曲部３ｄ、３ｅが形成されている。この支持枠３の両脚３ｂ、３ｃの両側折曲部３ｄ、３ｅがコ字型座金１５の両脚１５ａ、１５ｂで押圧されている。
【００２０】
コ字型座金１５は、図３に示すように、天部１５ｃの両端をコ字形に折曲して両脚１５ａ、１５ｂを形成してあり、その天部１５ｃの中央から下方へ向けて固着されたボルト１６がナット１７で締結される構成とされている。
【００２１】
このコ字型座金１５を用いて、図２に示すように、支持枠３の両脚３ｂ、３ｃの両側折曲部３ｄ、３ｅをコ字型座金１５の両脚１５ａ、１５ｂで押え、採光部２の周囲を支持する溝型鋼１９の上側フランジ１９ａに設けられた穿孔部１４にコ字型座金１５のボルト１６を挿通して上側フランジ１９ａの下方からナット１７で締結するようにしている。
【００２２】
このようなナット１７の締結作業においては、支持部材である溝型鋼１９の上側フランジ１９ａの下側にはスパナを挿入する余地が十分にあり、採光部２にガラス板４を設けていない状態で、作業者は屋根の上からスパナ等を差し入れてナット１７の締結作業を容易に行うことができる。
【００２３】
なお、図１において、上記のように採光部２の周囲を支持する支持部材１８は溝型鋼１９によって構成され、該溝型鋼１９をＬ型鋼材２１にボルト２０ａとナット２０ｂで固定すると共に、該溝型鋼１９の溝側を採光部２側に向けた状態で該採光部２の周囲に設けるようにしている。
【００２４】
また、図２に示すように、溝型鋼１９の上側フランジ１９ａの上面において、採光部２側には結露受板２３が固定されている。この結露受板２３は長尺の金板の両側に立上げ片２３ａ、２３ｂを形成してなり、外側立上げ片２３ｂがコ字型座金１５の片側脚部１５ａによって押圧されることにより固定している。
【００２５】
このような構成によって、結露受板２３の内側立上げ片２３ａと支持枠３の脚部３ｂの側面との間で結露受けのための水通路２４が形成されることとなる。上記のように、支持枠３の支持縁３ａは周縁用ガスケット１の外側の横溝５に密着状態で挿着されているが、水分が毛細管現象によって横溝５の周部を巡って流下することがあっても、この水分を結露受板２３で受けて排出することができる。
【００２６】
また、図２に示すように、溝型鋼１９の上側フランジ１９ａの上面において、外側には折半屋根２５が固定されている。この折半屋根２５は長手方向に沿って形成された傾斜部２５ａの上端に沿って折曲部２５ｂが形成され、該折曲部２５ｂを上記のコ字型座金１５の片側脚部１５ｂで押圧することによって固定している。
【００２７】
さらに、図２に示すように、周縁用ガスケット１の横溝９ａ、９ｂに挿着されるガラス板４は、所定寸法の一層のガラス板４を連結するようにし、ガラス板４、４の平面方向の隙間にはシール材２７を充填し、その連結部２６を目地受材２８で支持するようにしている。
【００２８】
この目地受材２８は、図４に示すように、幅広の支持片２８ａとその両側の支持片２８ｂ、２８ｂを有し、両端に長尺の支持板２９、２９が片持ち式に固定され、夫々の支持板２９の自由端側に切欠長孔２９ａが形成されている。そこで、図２に示すように、この目地受材２８を上記の結露受板２３の立上げ片２３ａに載置して周縁用ガスケット１の下側横溝９ｂに挿着したガラス板４の連結部２６を目地受材２８の幅広の支持片２８ａで支持すると共に、両側の支持片２８ｂ、２８ｂでガラス板４、４の連結部２６近傍の端縁を支持する（図６参照）。
【００２９】
また、上下二条の横溝９ａ、９ｂのうち、上側横溝９ａの奥部下方に長手方向に沿う内溝９ｃが形成されている。このような構成において、下側横溝９ｂにガラス板４を挿着するには、上側横溝９ａの内奥部に内溝９ｃが形成されているため、中間片８を上方へ容易に屈曲して下側の横溝９ｂ内にガラス板４を容易に嵌着することができる。
【００３０】
そして、上側横溝９ａにガラス板４を挿着するには、楔形溝１３が形成されているため、上方押え片１０ａを上方へ容易に屈曲して上側横溝９ａ内にガラス板４を容易に挿着することができ、このような挿着が終了した後、上記のように楔形溝１３に楔状ジッパー１２を挿着する。
【００３１】
上記の実施例のように、周縁用ガスケット１の横溝９ａ、９ｂにガラス板４、４を挿着する場合、上方押え片９ａとガラス板４とが密着状態にあっても、毛細管現象によってその嵌合隙間から雨水等が侵入することがある。この場合、その水分は、まず上側横溝９ａ内のガラス板４の端部を巡って下方の内溝９ｃに到り、この内溝９ｃ内を下流方向へ排出することとなる。従って、水分は中間片８の上面とガラス板４の接触面を介して空気層Ｃ内や下側横溝９ｂ内に侵入することがない。
【００３２】
また、楔形溝１３とジッパー１２との隙間から侵入した水分は、楔形溝１３内の内溝１３ａを下流へ通過して排出することができる。さらに、ガラス板４に生じた結露は、結露受板２３の水通路２４で受けて下流へ排出することができる。
【００３３】
ここで、採光部２の幅が広く、強度上の問題でガラス板４等を途中で支持する必要がある場合に、連結用ガスケット３１を用いることについて説明する。図５に示すように、採光部２の途中において二層のガラス板４、４を連結用ガスケット３１の両側で連結すると共に、屋根勾配に沿う支持部材としてＨ型鋼３２をガスケット３１の下部で支持するようにしている。なお、図１においては、Ｈ型鋼３２を他の鋼材３０で支持して所要高さを確保するようにしてある。
【００３４】
この連結用ガスケット３１は上記と同様に長尺の棒状ゴム部材から成り、ゴム部材の下部にＨ型鋼３２のフランジ３２ａを挿嵌するようにした挟持片３４、３４が形成されている。そして、図５に示すように、挟持片３４、３４間のＴ字形の隙間にＨ型鋼３２のフランジ３２ａを挿着することにより、Ｈ型鋼３２のウェブ３２ｂを両側の挟持片３４、３４で挟持するようにしてある。
【００３５】
また、挟持片３４、３４の上方において、連結用ガスケット３１の長手方向に沿って両側には中間片３５、３５を介して上下二条の横溝３６ａ、３６ｂが形成されている。図５に示すように、これらの横溝３６ａ、３６ｂの夫々にガラス板４、４を嵌合することによって、両側の中間片３５、３５による隙間を空気層Ｃとする二層のガラス板４、４を構成するようにしてある。また、両側の上側横溝３６ａ、３６ａの内奥部下方には、長手方向に沿って内溝３６ｃ、３６ｃを溝状に形成してある。
【００３６】
さらに、両側の上側横溝３６ａ、３６ａの中央上面には楔状ジッパー３７を嵌合する楔形溝３８を形成してある。なお、この楔状ジッパー３７は楔形溝３８の径よりもやや大きく形成され、楔形溝３８に楔状ジッパー３７を嵌合することによって、上方押え片３９、３９を下方に向けて押圧力を作用させる。
【００３７】
このような構成においては、下側の横溝３６ｂにガラス板４を挿着するには、上側横溝３６ａの内奥部に内溝３６ｃが形成されているため、中間片３５を上方へ屈曲して下側の横溝３６ｂ内にガラス板４を容易に嵌着することができる。そして、上側横溝３６ａにガラス板４を挿着するには、上方押え片３９の内部に楔形溝３８が形成されているため、上方押え片８を上方へ容易に屈曲して上側横溝３６ａ内にガラス板４を容易に挿着することができる。さらに、楔形溝３８にジッパー３７を嵌合し、上方押え片３９を下方のガラス板４側に押圧すると共に、中間片３５を介して下側の横溝３６ｂに嵌合されたガラス板４を押圧して密着させる。
【００３８】
この実施例のように、連結用ガスケット３１の両側の横溝３６ａ、３６ｂにガラス板４、４を嵌合する場合、各上方押え片３９とガラス板４とが密着状態にあっても、毛細管現象によってその嵌合隙間から雨水等が侵入することがある。この場合、その水分は、まず上側横溝３６ａ内のガラス板４の端部を巡って下方の内溝３６ｃに到り、この内溝３６ｃ内を下流方向へ排出される。従って、水分は中間片３５の上面とガラス板４の嵌合隙間を介して空気層Ｃ内や下側の横溝３６ｂ内に侵入することがない。
【００３９】
さらに、本実施例においては、連結用ガスケット３１の両側の下側横溝３６ｂ、３６ｂの夫々の下り側面の下方に、下り勾配を成す覆面４１、４１を剥脱自在に形成した中空通路４３を設けてある。この覆面４１を剥脱自在とするには、覆面４１の両側の連結部４１ａ、４１ａを薄厚に形成すればよい。そして、両側の覆面４１、４１の側部に立上縁４２、４２を残して、各立上縁４２の内側の覆面４１の上面を水分が流れる通路とする。
【００４０】
ただし、覆面４１の長手方向の途中には中空通路４３に連通した開口部４４を形成してある。このような中空通路４３においては、連結用ガスケット３１の下側横溝３６ｂのガラス板４に生じた結露水を覆面４１で受け、該覆面４１の勾配に沿って立上縁４２の内側を流下させると共に、この水分を途中の開口部４４で中空通路４３に落下させ、それ以降はこの中空通路４３内を屋根勾配に沿って排出させる。
【００４１】
この中空通路４３は覆面４１で覆われているため、室内に圧力変化が生じた場合でも、中空通路４３内の水分に乱気流の影響が及ぶことなく、円滑に下流まで流通することが可能となる。
【００４２】
上記の周縁用ガスケット１において説明した目地受材２８は、連結用ガスケット３１においても使用される。即ち、目地受材２８は上記の立上縁４２に載置して連結用ガスケット３１の下側横溝３６ｂに嵌合したガラス板４を支持すると共に、中間片３５を介して上側横溝３６ａに嵌合したガラス板４を支持することができる。
【００４３】
【発明の効果】
以上説明したように、本発明の二層採光板支持装置によれば、採光部の周縁においては周縁用ガスケットを用いる場合でも、幅広の採光部の途中に連結用ガスケットを用いる場合でも、夫々のガスケットの採光部側に設けた上下の横溝の夫々に個別的に１枚のガラス板を挿着することによって、上下の横溝間の中間片によって形成された空気層を有する二層のガラス板を構成することができる。従って、この二層のガラス板に使用するガラスは、市販の一層ガラスを使用することができるため、安価であって、簡単に施工することが可能となる。
【００４４】
また、本発明の二層採光板支持装置によれば、支持部材の上側フランジの下側にはスパナを挿入する余地が十分にあり、作業者は屋根の上からスパナ等を差し入れることによって、支持枠や折半屋根等を支持部材に固定するためのコ字型座金のボルトにナットを容易に締結することができる。
【００４５】
また、本発明においては、夫々のガラスを挿着するにあたり、周縁側ガスケット及び連結用ガスケットのいずれにおいても上側横溝の内溝によって該中間片を上方へ容易に屈曲して下側横溝にガラス板を挿着するのが容易であり、さらに楔形溝によって上方押え片を上方へ容易に屈曲して上側横溝にガラス板を挿着するのが容易であり、ガラス板の挿着においても簡単な作業となる。
【図面の簡単な説明】
【図１】本発明による二層採光板支持装置の周縁部ガスケットおよび連結用ガスケットの周辺を示す部分断面図である。
【図２】本発明による二層採光板支持装置の周縁部ガスケットの周辺を示す部分斜視図である。
【図３】本発明による二層採光板支持装置に使用するコ字型座金の斜視図である。
【図４】本発明による二層採光板支持装置に使用するガラス目地受材の斜視図である。
【図５】本発明による二層採光板支持装置の連結用ガスケットの周辺を示す部分斜視図である。
【図６】本発明による二層採光板支持装置の連結用ガスケットにおいてガラス板の連結部周辺を示す側面図である。
【図７】従来の採光板支持装置の部分断面図である。
【図８】従来の他の採光板支持装置の部分断面図である。
【符号の説明】
１…周縁用ガスケット
２…採光部
３…支持枠
３ａ…支持縁
３ｂ、３ｃ…脚部
４…ガラス板
５…横溝
６ａ…上方押え片
６ｂ…下方押え片
７…突起
８…中間片
９ａ、９ｂ…上下二条の横溝
１０ａ…上方押え片
１０ｂ…下方押え片
１１…突起
１２…楔状ジッパー
１３…楔形溝
１４…穿孔部
１５…コ字型座金
１５ａ、１５ｂ…両脚
１５ｃ…天部
１６…ボルト
１７…ナット
１８…支持部材
１９…溝型鋼
１９ａ…上側フランジ
１９ｂ…穿孔部
２０ａ…ボルト
２０ｂ…ナット
２１…Ｌ型鋼材
２３…結露受板
２３ａ、２３ｂ…立上げ片
２３ｂ…外側立上げ片
２４…水通路
２５…折半屋根
２５ａ…傾斜部
２５ｂ…折曲部
２６…連結部
２７…シール材
２８…目地受材
２８ａ…幅広の支持片
２８ｂ…両側の支持片
２９…支持板
２９ａ…切欠長孔
３１…連結用ガスケット
３２…Ｈ型鋼
３２ａ…フランジ
３２ｂ…ウェブ
３４…挟持片
３５…中間片
３６ａ…上側横溝
３６ｂ…下側横溝
３６ｃ…内溝
３７…楔状ジッパー
３８…楔形溝
３９…上方押え片
４１…覆面
４１ａ…連結部
４２…立上縁
４３…中空通路
４４…開口部
Ｃ…空気層
【図１】
0003669367.tif 000002
【図２】
0003669367.tif 000003
【図３】
0003669367.tif 000004
【図４】
0003669367.tif 000005
【図５】
0003669367.tif 000006
【図６】
0003669367.tif 000007
【図７】
0003669367.tif 000008
【図８】
0003669367.tif 000009